(57)【特許請求の範囲】
【請求項１】
断面コ字状の長尺な溝形材よりなり開口部側を対峙させた一対の側杆と、
一方の側杆の内側に形成されたスライダ溝において、この側杆の長さ方向に摺動可能に取付けられるスライド板と、
このスライド板と他方の側杆との間に亘って、両端部がそれぞれ枢動可能に取付けられる複数の足掛け横杆とを有し、
上記足掛け横杆の平行運動により折り畳み又は組み立てをなすとともに、上記スライド板の摺動により、折り畳み時における両側杆の長さ方向位置を一致させてなる折り畳み式はしご。
【請求項２】
上記一方の側杆にスライド板の移動範囲に亘り長孔を設け、この長孔に上記スライド板から突設した突出部を貫通し、梯子組み立て時のスライド板の位置において上記突出部を位置決めする係止部を備え、梯子組み立て時のスライド板の位置決め機構を備えてなる請求項１記載の折り畳み式はしご。
【請求項３】
上記他方の側杆において、この側杆が枢支するいずれかの足掛け横杆の回動を規制するロック機構を備えてなる請求項１又は請求項２記載の折り畳み式はしご。
【発明の詳細な説明】
【０００１】
【産業上の利用分野】
この発明は、例えば、車載用はしご、非難はしご、多段式ベット用はしご、一般用はしご等に適した折り畳み式はしごに関する。
【０００２】
【従来の技術】
従来より、車載用はしご、非難はしごや多段式ベット用はしご、一般用はしご等には、簡易コンパクトに折り畳みができ、場所を取らず、格納、移動等が容易であるとともに、使用時に簡易迅速に組み立てができる折り畳み式はしごの提供が望まれている。
【０００３】
そして、上述のような目的から、例えば、両側杆に対し足掛けとなる横杆を平行運動機構により折り畳むことができるはしごとして、実開平１−８９５９８号公報に示すような折り畳み式はしごが提案されている。
【０００４】
しかしながら、単に横杆を平行運動機構により折り畳むものとした場合には、折り畳み時に側杆の重ね合わせ位置が長さ方向にずれてしまうため、その分長さ方向に場所をとりコンパクトに折り畳むことができるとは言いがたいものであった。そのため、不使用時の収納において不便であった。
【０００５】
また特に、ワゴン型の乗用車等において、車の背面側等に外装する車載用はしごにあっては、コンパクトに折り畳めることが要求されることは勿論のこと、美感的な面からも折り畳み状態が美しいことが要求される。
【０００６】
そこで、本発明は、上記従来の折り畳み式はしごの問題点を簡単な構造により解決し、簡易コンパクトに折り畳み、折り畳み状態が美しい折り畳み式はしごを提供することを目的とする。
【０００７】
【課題を解決するための手段】
本発明に係る折り畳み式はしごは、上記課題を解決するため、断面コ字状の長尺な溝形材よりなり開口部側を対峙させた一対の側杆と、一方の側杆の内側に形成されたスライダ溝において、この側杆の長さ方向に摺動可能の取付けられるスライド板と、このスライド板と他方の側杆との間に亘って、両端部がそれぞれ枢動可能に取付けられる複数の足掛け横杆とを有し、上記足掛け横杆の平行運動により折り畳み又は組み立てをなすとともに、上記スライド板の摺動により、折り畳み時における両側杆の長さ方向位置を一致させてなるものである。
【０００８】
なお、本発明に係る折り畳み式はしごに対しては、上記一方の側杆にスライド板の移動範囲に亘り長孔を設け、この長孔に上記スライド板から突設した突出部を貫通し、はしご組み立て時のスライド板の位置において上記突出部を位置決めする係止部を備え、はしご組み立て時のスライド板の位置決め機構を備えても良い。
【０００９】
また、上記他方の側杆において、この側杆が枢支するいずれかの足掛け横杆の回動を規制するロック機構を備えるようにしても良い。
【００１０】
【作用】
本発明は、足掛け横杆を平行運動させて両側杆を重ね合せると、各足掛け横杆は上記側杆の溝形内に収納され、これに続いて一方の側杆をこの側杆内のスライド板に対して相対摺動させることにより、他方の側杆との長さ位置を一致させることができる。
【００１１】
【実施例】
以下、本発明の好適な実施例を図面を参照しながら説明する。
【００１２】
本発明に係る折り畳み式はしごは、図１乃至図５に示すように、断面コ字状の長尺な溝形材よりなる一対の側杆１，２と、その一方の側杆１内にこの側杆１の長さ方向に摺動可能に取付けられるスライド板３と、このスライド板３と他方の側杆２との間に亘って両端部がそれぞれ枢動可能に取付けられる複数の足掛け横杆４とを主たる要素として構成される。
【００１３】
まず、上記一対の側杆１，２は、それぞれ前面板１ａ，２ａと後面板１ｂ，２ｂを連結板１ｃ，２ｃにより連結して断面コ字状の溝形材として長さ方向に同寸法で形成されている。また、その上端側にはそれぞれ天板５，６が取付けられている。そして、開口部側を対峙して配置されてなる。
【００１４】
一方の側杆１内には、図２及び図３に示すように、上記スライド板３を摺動可能に保持するスライド溝７が設けられている。
【００１５】
このスライド溝７は、上記連結板１ｃに沿って前面板１ａ及び後面板１ｂの内側に設けられる溝部８により構成される。なお、上記スライド板３の抜け落ちを防止するための突条部９を設けても良い。
【００１６】
次に、スライド板３は、上記一方の側板１内のスライド溝７に配設され、この側杆１の長さ方向に摺動可能となされている。
【００１７】
また、上記一方の側杆１の連結板１ｃには、上記スライド板３の移動距離に亘る長孔１０が設けられており、この長孔１０に上記スライド板３から突設された突出部１１が貫通されている。一方、上記連結板１ｃの外面側の上記長孔１０の上端側近傍には、この長孔１０の上端部に上記突出部１１が位置したときに、この突出部１１を係止して位置決めを図る係止金具１２が回動可能に軸支されて取付けられている。
【００１８】
そして、このスライド板３と他方の側杆２との間に亘って足掛け横杆４がその両端部においてそれぞれ枢動可能に複数取付けられることにより、はしごを形成している。この実施例においては、作図の都合上三つの足掛け横杆４Ａ，４Ｂ，４Ｃが均等な間隔を有して取付けた場合として説明する。なお、上記足掛け横杆４は、このはしごの構成に基づき幾条に設けても良いことはいうまでもない。
【００１９】
まず、スライド板３への足掛け横杆４の回動支持は、スライド板３から側杆内方に突設された中央に切欠き凹部１３ａを有する横杆支持部１３に対し、足掛け横杆４の一端側から突設した支持突片４１を支軸１４により回動自在に軸支してなる。
【００２０】
一方、他方の側杆２への足掛け横杆４の回動支持は、他方の側杆２の前面板２ａと後面板２ｂ間に張設された横杆支持軸１５により、上記足掛け横杆４の他方端側から突設した支持突片４２を回動自在に軸支してなる。なお、上記支持突片４２の軸支位置両側には、この支持突片４２の位置決めを図るための両フランジ部１６，１７が設けられている。
【００２１】
また、上記他方の側杆２には、この側杆２が枢支する最下に位置する足掛け横杆４Ａの回動を規制するロック機構１８を備えている。
【００２２】
このロック機構１８は、図６に示すように、他方の側杆２において、足掛け横杆４Ａの他方端側の支持突片４２の回動をロック片１９により規制するようにしてなるものである。すなわち、図１に示す他方の側杆２の前面板２ａに取付けられるロックレバ２０を回動することにより、この前面板２ａを貫通して後面板２ｂに回動可能に支持されたロック軸２１を回動せしめ、このロック軸２１の一端から突出形成されたロック片１９を上記足掛け横杆４Ａの支持突片４２に当接することにより、この足掛け横杆４Ａの回動を規制するものである。そして、上記複数の足掛け横杆４Ａ，４Ｂ，４Ｃは、一方端側がいずれもスライド板３に対し均等な間隔を有して取付けられてなるので、上述のように他方の側杆２において一つの足掛け横杆４Ａの回動が規制されると、他の足掛け横杆４Ｂ，４Ｃは連動していずれもその回動が規制されることになる。
【００２３】
なお、一方の側杆１の天板５は前面板１ａ及び後面板１ｂよりも稍々短く、又他方の側杆２の天板６は前面板２ａ及び後面板２ｂよりも稍々長く突出して形成されている。そして、上記両側杆１，２が重なり合う折り畳み状態において両天板５，６が接合されて両側杆１，２の位置決めが図られるようになされいる。
【００２４】
次に上述のように構成された本発明に係る折り畳み式はしごの使用方法について、使用状態から折り畳み状態への順で説明する。
【００２５】
まず、図１乃至図３に示す本発明に係る折り畳み式はしごの使用状態において、ロック機構１８のロックレバ２０を回動し、足掛け横杆４Ａのロックを解除する。
【００２６】
次に、図４に示すように、他方の側杆２を持ち上げ各足掛け横杆４Ａ，４Ｂ，４Ｃを平行運動させて両側杆１，２を重ね合わせる。このとき、各足掛け横杆４Ａ，４Ｂ，４Ｃは、両側杆１，２の内方に収納される。
【００２７】
さらに、図５に示すように、上記係止金具１２を回動し、スライド板３の突出部１１の位置決めを解除して、スライド板３を摺動せしめ、上記突出部１１が長孔１０の他端側へ移動させることにより、両側杆１，２の長さ方向の位置合わせを行なう。そして、他方の側板２の天板６が一方の側板１の天板５と接合することにより他方の側杆２の位置決めがなされ折り畳みが完了する。
【００２８】
なお、上記係止金具１２による突出部１１の位置決め解除をロックレバ２０による足掛け横杆４Ａの回動規制の解除と同時に行なうことにより、上述した折り畳み動作を一連に行ってもよい。
【００２９】
また、この折り畳み状態から使用状態への移動は、上記動作を逆に行えば良いことはいうまでもない。
【００３０】
【発明の効果】
本発明に係る折り畳み式はしごによれば、足掛け横杆を平行運動させて両側杆を重ね合せることにより、各足掛け横杆は上記側杆の溝形内に収納され、これに続き一方の側杆をこの側杆内のスライド板に対して相対摺動させることにより、他方の側杆との長さ位置を一致させることができる。
【００３１】
したがって、本発明によれば、折り畳み又は組み立てが足掛け横杆の平行運動により極めて簡単な構成で行なうことができるとともに、スライド板の摺動により側杆の長さ位置を一致させて重ね合わせることができる。
【００３２】
よって、不使用時の折り畳み状態においては足掛け横杆が上記側杆内に収納され且つ両側杆の両端位置が一致して一本の棒状体となり極めて小型コンパクトとなって場所を取らずに収納できる。そして、使用時に際しても迅速容易にはしごが組成できるため非難はしごとしても大変都合がよいものである。また、折り畳み形状が一本の棒状体となることから外観形状も美しく車載用はしごとしても好適となる。
【図面の簡単な説明】
【図１】本発明に係る折り畳み式はしごの使用状態を示す斜視図である。
【図２】同使用状態を示す断面図である。
【図３】同使用状態を示す横断面図である。
【図４】折り畳み途中状態を示す断面図である。
【図５】折り畳み状態を示す断面図である。
【図６】ロック機構を示す要部拡大断面図である。
【符号の説明】１  一方の側杆
２  他方の側杆
３  スライド板
４  足掛け横杆
１０  長孔
１１  突出部
１２  係止金具
１８  ロック機構
【図１】
0003540035.tif 000002
【図２】
0003540035.tif 000003
【図３】
0003540035.tif 000004
【図４】
0003540035.tif 000005
【図５】
0003540035.tif 000006
【図６】
0003540035.tif 000007